(57)【特許請求の範囲】
【請求項１】
床面の掃除を行うためのヘッドと、自在継手を介して前記ヘッドと連結されて前記ヘッドを操作するための柄とを備えた清掃具本体と、前記清掃具本体に装着して使用する、極細繊維を組み合わせて形成した使い捨てシート体を積層した清掃用積層シートと、を備えた清掃具であって、
前記ヘッドは、正面及び背面に傾斜部を有する側面視台形状とし、
前記清掃用積層シートにはさらに、長方形状の基面と、この基面の短手方向両端から内側に立ち上がり傾斜する傾斜面と、両前記傾斜面の端部から連なる接着面と、からなる基部シートを備え、
前記基部シートは、複数枚の前記シート体のそれぞれを柔軟性のある接着剤を介して積層したものであり、
前記清掃用積層シートの上に前記基部シートを載置し、前記清掃用積層シートの形状を保持したまま前記基部シートと一体とし、
前記清掃具本体の両前記傾斜部に前記基部シートの両前記傾斜面を係止できることを特徴とした清掃具。
【請求項２】
床面の掃除を行うためのヘッドと、前記ヘッドの側面の両側又は片側から支持する支持部を介して前記ヘッドと連結されて前記ヘッドを操作するための柄とを備えた清掃具本体と、前記清掃具本体に装着して使用する、極細繊維を組み合わせて形成した使い捨てシート体を積層した清掃用積層シートと、を備えた清掃具であって、
前記ヘッドの正面及び背面には切欠部を備え、前記切欠部には保持部を備え、
前記切欠部は、正面下側傾斜部とこれに連なる正面上側傾斜部で反くの字形状を形成し、背面下側傾斜部とこれに連なる背面上側傾斜部でくの字形状を形成し、
前記保持部は、正面上側傾斜部及び背面上側傾斜部に備え、
前記清掃用積層シートにはさらに、長方形状の基面と、この基面の短手方向両端から内側に立ち上がり傾斜する傾斜面と、両前記傾斜面の端部から連なる接着面と、からなる基部シートを備え、
前記清掃用積層シートの上に前記基部シートを載置し、前記清掃用積層シートの形状を保持したまま前記基部シートと一体とし、
前記清掃具本体の前記切欠部である前記正面下側傾斜部及び前記背面下側傾斜部に前記基部シートの両前記傾斜面を係止でき、かつ、前記清掃具本体の前記保持部である前記正面上側傾斜部又は前記背面上側傾斜部で前記シート体を保持でき、前記ヘッドが前記支持部を支点に表裏反転可能となることを特徴とした清掃具。
【請求項３】
床面の掃除を行うためのヘッドと、前記ヘッドの側面の両側又は片側から支持する支持部を介して前記ヘッドと連結されて前記ヘッドを操作するための柄とを備えた清掃具本体と、前記清掃具本体に装着して使用する、極細繊維を組み合わせて形成した使い捨てシート体を積層した清掃用積層シートと、を備えた清掃具であって、
前記ヘッドの正面及び背面には切欠部を備え、
前記切欠部は、正面下側傾斜部とこれに連なる正面上側傾斜部で反くの字形状を形成し、背面下側傾斜部とこれに連なる背面上側傾斜部でくの字形状を形成し、
前記清掃用積層シートにはさらに、長方形状の基面と、この基面の短手方向両端から内側に立ち上がり傾斜する傾斜面と、両前記傾斜面の端部から連なる接着面と、両前記接着面の端部から連なる舌部と、からなる基部シートを備え、
前記清掃用積層シートの上に前記基部シートを載置し、前記清掃用積層シートの形状を保持したまま前記基部シートと一体とし、
前記清掃具本体の前記切欠部である前記正面下側傾斜部及び前記背面下側傾斜部に前記基部シートの両前記傾斜面を係止でき、かつ、前記切欠部である前記正面上側傾斜部又は前記背面上側傾斜部と前記舌部との間で前記シート体の端を係止でき、前記ヘッドが前記支持部を支点に表裏反転可能となることを特徴とした清掃具。
【請求項４】
前記基部シートは、複数枚の前記シート体のそれぞれを柔軟性のある接着剤を介して積層したものであることを特徴とした請求項２又は請求項３のうちいずれか一に記載の清掃具。
【請求項５】
前記ヘッドは、表面、及び／又は、裏面に、滑止部を備えたことを特徴とした請求項１乃至請求項４のうちいずれか一に記載の清掃具。
【請求項６】
前記シート体を、長手方向に沿って入れたミシン目を介して複数枚を接合して円筒状シートとし、
前記円筒状シートを平面的に折り畳み、さらに、両短手方向を立ち上げて立上部とすることによって山折環状シートとし、
前記山折環状シートを積層したことを特徴とした請求項１乃至請求項５のうちいずれか一に記載の清掃具。
【請求項７】
前記シート体を、短手方向に沿って入れたミシン目を介して接合する複数枚のシート体からなる長尺シートとし、
前記長尺シートを、１枚分の前記シート体のそれぞれが両短手方向を山折りして立上部となるように積層することによって山折長尺シートとしたことを特徴とした請求項１乃至請求項５のうちいずれか一に記載の清掃具。
【請求項８】
積層した各前記シート体の前記立上部の端部を糊綴じしたことを特徴とした請求項１乃至請求項７のうちいずれか一に記載の清掃具。
【請求項９】
前記シート体、及び／又は、前記基部シートは、その全部又は一部を白色、黒色、赤色、青色、黄色、桃色、緑色、紫色、オレンジ色から選択することができることを特徴とした請求項１乃至請求項８のうちいずれか一に記載の清掃具。
【請求項１０】
前記シート体、及び／又は、前記基部シートには、前記極細繊維よりも太い太繊維を混入したことを特徴とした請求項１乃至請求項９のうちいずれか一に記載の清掃具。
【請求項１１】
前記太繊維の色を前記極細繊維の色と異なる色としたことを特徴とした請求項１０に記載の清掃具。
【請求項１２】
前記シート体、及び／又は、前記基部シートに切り込みを入れて切込部を形成することを特徴とした請求項１乃至請求項１１のうちいずれか一に記載の清掃具。
【請求項１３】
前記シート体、及び／又は、前記基部シートを折曲げて折曲部を形成することを特徴とした請求項１乃至請求項１２のうちいずれか一に記載の清掃具。
【請求項１４】
前記シート体の長手方向の長さを前記ヘッドの長手方向の長さよりも長くし、前記シート体に余剰部を設けたことを特徴とした請求項１乃至請求項１３のうちいずれか一に記載の清掃具。
【請求項１５】
積層した各前記シート体の長手方向の長さがそれぞれ相違することによって前記余剰部の長さもそれぞれ相違することを特徴とした請求項１４に記載の清掃具。
【発明の詳細な説明】
【技術分野】
【０００１】
本発明は、フローリング等の床面を清掃するための使い捨てシート体を積層した清掃用積層シート及びその清掃用積層シートを装着する清掃具に関する。
【背景技術】
【０００２】
フローリング等の床面を電源を用いずに手軽に清掃することができる清掃具として、清掃シート等を装着するフローリングワイパーが広く知られている。例えば、清掃シート等の片面を使用して床面を清掃する考案として文献１が、また、清掃シート等の両面を使用して床面を清掃する考案として文献２がある。
【０００３】
文献１は、拭取シートを装着し清掃床面を摺動するフローリングワイパーにおいて、拭取シートの清掃面を広く経済的に使用でき、埃、塵等が清掃床面と拭取シートの間に入り込みやすく、また、拭取シートにからみやすいフローリングワイパーである。
【０００４】
文献２は、使用する清掃シートの全ての面を使用することができ、しかも、清掃用具の厚み分程度の狭い隙間も簡単に清掃することが可能であり、さらには、清掃シートをスリット挟み込む場合にも指などを痛めることがない優れた清掃用具である。
【先行技術文献】
【特許文献】
【０００５】
【特許文献１】実用新案登録第３１３４１９３号公報
【特許文献２】実用新案登録第３１５２６３２号公報
【発明の概要】
【発明が解決しようとする課題】
【０００６】
文献１に係る考案は、ワイパーヘッド３に連結された柄棒４からなり、このワイパーヘッド３は、前側の基板６と、後側の基板７とに、二つに別れた形状を有していて、清掃時に、柄棒４を前に押した時に、上記前側の基板６は上の方向に動き、また、前記柄棒４を引き戻した時には、上記前側の基板６と上記後側の基板７は清掃床面１に接した状態で摺動するものである。
【０００７】
そして、上記前側の基板６と後側の基板７の上面の複数箇所には、拭取シート２の端部を押し込んで係止させるための係止孔９が形成されおり、この係止孔９は、例えば、合成樹脂等を弾性変形可能な程度に薄肉に形成し、その薄肉の部分に切れ目を入れることにより形成したもので、この切れ目によって形成される複数の弾片を変形させながら拭取シート２を係止孔９に押し込むことにより、上記弾片が拭取シート２を係止させるものである。
【０００８】
文献２に係る考案は、清掃シートＳを挟み込むスリットが形成された本体１と、この本体１が回動自在に支承された略コ字状に形成された支持アーム２と、この支持アーム２の端部が自在継手３を介して連結されたハンドル４と、が備えられた構成とする。
【０００９】
そして、上面のほぼ中央部には、清掃シートＳを挟みこむためのスリット２３ｃが形成されており、スリット２３ｃに清掃シートＳを挟み込み、清掃シートＳを適度に使用した後は、本体１を１８０度回転させ、上面（上カバー２１側）を使用するものである。
【００１０】
しかし、文献１においては、フローリングワイパーと替えの拭取りシートは別体であるため、ある場所を清掃した後、他の場所を清掃する際に使用済みのシートを取り替える場合は、フローリングワイパーの他に、替えの拭取りシートを別で持ち運ぶ必要があったため、極めて不便であった。また、同様に、文献２においても、清掃用具と替えの清掃シートは別体であるため、ある場所を清掃した後、他の場所を清掃する際に使用済みのシートを取り替える場合は、清掃用具の他に、替えの清掃シートを別で持ち運ぶ必要があったため、極めて不便であった。
【課題を解決するための手段】
【００１１】
そこで、本発明は、清掃具と清掃用積層シートを一体化することができ、それにより替えのシート体を別で持ち運ぶ必要がない、清掃用積層シート及びその清掃用積層シートを装着する清掃具を提供するものである。
【００１２】
請求項１の発明は、床面の掃除を行うためのヘッドと、自在継手を介してヘッドと連結されてヘッドを操作するための柄とを備えた清掃具本体と、清掃具本体に装着して使用する、極細繊維を組み合わせて形成した使い捨てシート体を積層した清掃用積層シートと、を備えた清掃具であって、ヘッドは、正面及び背面に傾斜部を有する側面視台形状とし、清掃用積層シートにはさらに、長方形状の基面と、基面の短手方向両端から内側に立ち上がり傾斜する傾斜面と、両傾斜面の端部から連なる接着面と、からなる基部シートを備え、基部シートは、複数枚のシート体のそれぞれを柔軟性のある接着剤を介して積層したものであり、清掃用積層シートの上に基部シートを載置し、清掃用積層シートの形状を保持したまま基部シートと一体とし、清掃具本体の両傾斜部に基部シートの両傾斜面を係止できることを特徴とした清掃具である。
【００１３】
請求項２の発明は、床面の掃除を行うためのヘッドと、ヘッドの側面の両側又は片側から支持する支持部を介してヘッドと連結されてヘッドを操作するための柄とを備えた清掃具本体と、清掃具本体に装着して使用する、極細繊維を組み合わせて形成した使い捨てシート体を積層した清掃用積層シートと、を備えた清掃具であって、ヘッドの正面及び背面には切欠部を備え、切欠部には保持部を備え、切欠部は、正面下側傾斜部とこれに連なる正面上側傾斜部で反くの字形状を形成し、背面下側傾斜部とこれに連なる背面上側傾斜部でくの字形状を形成し、保持部は、正面上側傾斜部及び背面上側傾斜部に備え、清掃用積層シートにはさらに、長方形状の基面と、基面の短手方向両端から内側に立ち上がり傾斜する傾斜面と、両傾斜面の端部から連なる接着面と、からなる基部シートを備え、清掃用積層シートの上に基部シートを載置し、清掃用積層シートの形状を保持したまま基部シートと一体とし、清掃具本体の切欠部である正面下側傾斜部及び背面下側傾斜部に基部シートの両傾斜面を係止でき、かつ、清掃具本体の保持部である正面上側傾斜部又は背面上側傾斜部でシート体を保持でき、ヘッドが支持部を支点に表裏反転可能となることを特徴とした清掃具である。
【００１４】
請求項３の発明は、床面の掃除を行うためのヘッドと、ヘッドの側面の両側又は片側から支持する支持部を介してヘッドと連結されてヘッドを操作するための柄とを備えた清掃具本体と、清掃具本体に装着して使用する、極細繊維を組み合わせて形成した使い捨てシート体を積層した清掃用積層シートと、を備えた清掃具であって、ヘッドの正面及び背面には切欠部を備え、切欠部は、正面下側傾斜部とこれに連なる正面上側傾斜部で反くの字形状を形成し、背面下側傾斜部とこれに連なる背面上側傾斜部でくの字形状を形成し、清掃用積層シートにはさらに、長方形状の基面と、基面の短手方向両端から内側に立ち上がり傾斜する傾斜面と、両傾斜面の端部から連なる接着面と、両接着面の端部から連なる舌部と、からなる基部シートを備え、清掃用積層シートの上に基部シートを載置し、清掃用積層シートの形状を保持したまま基部シートと一体とし、清掃具本体の切欠部である正面下側傾斜部及び背面下側傾斜部に基部シートの両傾斜面を係止でき、かつ、切欠部である正面上側傾斜部又は背面上側傾斜部と舌部との間でシート体の端を係止でき、ヘッドが支持部を支点に表裏反転可能となることを特徴とした清掃具である。
【００１５】
請求項４の発明は、複数枚のシート体のそれぞれを柔軟性のある接着剤を介して積層したものであることを特徴とした請求項２又は請求項３のうちいずれか一に記載の清掃具である。
【００１６】
請求項５の発明は、ヘッドは、表面、及び／又は、裏面に、滑止部を備えたことを特徴とした請求項１乃至請求項４のうちいずれか一に記載の清掃具である。
【００１７】
請求項６の発明は、シート体を、長手方向に沿って入れたミシン目を介して複数枚を接合して円筒状シートとし、円筒状シートを平面的に折り畳み、さらに、両短手方向を立ち上げて立上部とすることによって山折環状シートとし、山折環状シートを積層したことを特徴とした請求項１乃至請求項５のうちいずれか一に記載の清掃具である。
【００１８】
請求項７の発明は、シート体を、短手方向に沿って入れたミシン目を介して接合する複数枚のシート体からなる長尺シートとし、長尺シートを、１枚分のシート体のそれぞれが両短手方向を山折りして立上部となるように積層することによって山折長尺シートとしたことを特徴とした請求項１乃至請求項５のうちいずれか一に記載の清掃具である。
【００１９】
請求項８の発明は、積層した各前記シート体の立上部の端部を糊綴じしたことを特徴とした請求項１乃至請求項７のうちいずれか一に記載の清掃具である。
【００２０】
請求項９の発明は、シート体、及び／又は、基部シートは、全部又は一部を白色、黒色、赤色、青色、黄色、桃色、緑色、紫色、オレンジ色から選択することができることを特徴とした請求項１乃至請求項８のうちいずれか一に記載の清掃具である。
【００２１】
請求項１０の発明は、シート体、及び／又は、基部シートには、極細繊維よりも太い太繊維を混入したことを特徴とした請求項１乃至請求項９のうちいずれか一に記載の清掃具である。
【００２２】
請求項１１の発明は、太繊維の色を前記極細繊維の色と異なる色としたことを特徴とした請求項１０に記載の清掃具である。
【００２３】
請求項１２の発明は、シート体、及び／又は、基部シートに切り込みを入れて切込部を形成することを特徴とした請求項１乃至請求項１１のうちいずれか一に記載の清掃具である。
【００２４】
請求項１３の発明は、シート体、及び／又は、基部シートを折曲げて折曲部を形成することを特徴とした請求項１乃至請求項１２のうちいずれか一に記載の清掃具である。
【００２５】
請求項１４の発明は、シート体の長手方向の長さをヘッドの長手方向の長さよりも長くし、シート体に余剰部を設けたことを特徴とした請求項１乃至請求項１３のうちいずれか一に記載の清掃具である。
【００２６】
請求項１５の発明は、積層した各シート体の長手方向の長さがそれぞれ相違することによって余剰部の長さもそれぞれ相違することを特徴とした請求項１４に記載の清掃具である。
【発明の効果】
【００３２】
請求項１から請求項３の発明によれば、清掃具に装着する清掃用積層シートを構成するため、清掃具と取り替え用のシートを清掃場所毎に別で持ち運ぶ必要がなくなる。
【００３３】
請求項４の発明によれば、清掃用積層シートが纏まり便利である。
【００３４】
請求項５の発明によれば、清掃用積層シートの上に基部シートを載置することによって、山折環状シート、山折長尺シート、山折シートの形状を保持することができ、また、清掃具への装着も容易となる。
【００３５】
請求項６の発明によれば、シート体を束ねやすくすることができる。
【００３６】
請求項７の発明によれば、鍔面によりシート体を切り取り易くすることができ、また、舌部により、少ない力で容易に基部シートの傾斜面を広げることができ、シート体を係止する構造を有していなくてもシート体の端を留めることができる。
【００３７】
請求項８の発明によれば、山折環状シート、山折長尺シート、山折シートの形状を保持することができ、さらに、基部シートでも清掃することができる。
【００３８】
請求項９の発明によれば、安価な素材を利用して山折環状シート、山折長尺シート、山折シートの形状を保持することができる。
【００３９】
請求項１０の発明によれば、着色した部分により、吸着した塵や埃等を容易に確認することができる。
【００４０】
請求項１１の発明によれば、極細繊維よりも太い太繊維を混入したことにより、塵や埃等を容易に確認することができる。
【００４１】
請求項１２の発明によれば、太繊維を着色したことにより、塵や埃等を容易に確認することができる。
【００４２】
請求項１３、請求項１４の発明によれば、より多くの埃や塵を掴むことができる。
【００４３】
請求項１５の発明によれば、簡易な構成の清掃具により床面を清掃することができる。
【００４４】
請求項１６の発明によれば、保持部によりシート体を強固に保持することができ、ヘッドの表面や裏面を利用して床面を清掃することができる。
【００４５】
請求項１７の発明によれば、保持部を備えることなく切欠部と舌部との間でシート体を保持でき、ヘッドの表面や裏面を利用して床面を清掃することができる。
【００４６】
請求項１８の発明によれば、清掃時やシート体の交換時等において滑り難くすることができる。
【００４７】
請求項１９の発明によれば、余剰部において、狭い隙間等においても容易に清掃することができる。
【００４８】
請求項２０の発明によれば、積層した各シート体の余剰部の長さがそれぞれ相違するので、使用するシート体の余剰部にのみ塵や埃等を吸着させることができるため、その他のシート体の余剰部に塵や埃等を吸着し難くなり、未使用のシート体を清潔に保つことができる。また、使用する際、一番下のシート体（清掃するシート体）の短手方向の端が巻き込むような形になり、その他の未使用状態の上方のシート体に汚れが付着するのを防ぐことができ、また、シート体の長さが相違することにより、破棄する等の場合にめくりやすくなる。
【図面の簡単な説明】
【００４９】
【図１】円筒状シートの斜視図である。
【図２】山折環状シートの側面図である。
【図３】山折環状シートを積層し、その上に基部シートを載置した清掃用積層シートの側面図である。
【図４】山折長尺シートの斜視図である。
【図５】山折長尺シートを積層した状態を図示した山折長尺シートの側面図である。
【図６】山折長尺シートを積層し、その上に基部シートを載置した清掃用積層シートの側面図である。
【図７】基面に連なる傾斜面を備えた基部シートを載置した清掃用積層シートの側面図である。
【図８】図７の斜視図である。
【図９】鉤面を備えた清掃用積層シートの側面図である。
【図１０】シート体の平面図である。
【図１１】一方側と他方側の両層に切込部が入れられた二層構造のシート体の側面図である。
【図１２】一方側と他方側の両層に切込部が入れられた三層構造のシート体の側面図である。
【図１３】折曲部が入れられた一層構造のシート体の側面図である。
【図１４】太繊維を混入したシート体の平面図である。
【図１５】太繊維を碁盤の目状に混入配置させたシート体の平面図である。
【図１６】清掃具の実施例１の斜視図である。
【図１７】実施例１の右側面図である。
【図１８】実施例１のヘッドに清掃用積層シートを装着した右側面図である。
【図１９】図１８の状態からシート体を切り取った状態の右側面図である。
【図２０】図１９の清掃用積層シートからシート体を分離した状態を図示した右側面図である。
【図２１】清掃具の実施例２の斜視図である。
【図２２】実施例２の左側面図である。
【図２３】実施例２のヘッドに清掃用積層シートを装着した右側面図である。
【図２４】図２３の状態からシート体を切り取った状態の右側面図である。
【図２５】図２４の状態からヘッドを反転させた状態を図示した右側面図である。
【図２６】図２５の状態からシート体を保持させた状態を図示した右側面図である。
【図２７】図２６の状態の正面図である。
【図２８】接着面の端部から連なる舌部を備えた基部シートを載置した清掃用積層シートの側面図である。
【図２９】清掃具の実施例３の斜視図である。
【図３０】実施例３の左側面図である。
【図３１】実施例３のヘッドに清掃用積層シートを装着した右側面図である。
【図３２】図３１の状態からシート体を切り取った状態の右側面図である。
【図３３】図３２の状態からヘッドを反転させた状態を図示した右側面図である。
【図３４】図３３の状態からシート体を保持させた状態を図示した右側面図である。
【図３５】図３４の状態の正面図である。
【図３６】各シート体の余剰部の長さがそれぞれ相違した状態を図示した要部拡大断面図である。
【図３７】山折シートの側面図である。
【図３８】山折シートを積層し、その上に基部シートを載置した清掃用積層シートの側面図である。
【図３９】実施例１の清掃具の自在継手の他の例の正面図である。
【図４０】図３９の側面図である。
【図４１】実施例２、実施例３の清掃具の支持部材の他の例の正面図である。
【図４２】図４１の側面図である。
【発明を実施するための形態】
【００５０】
本発明は、フローリング等の床面を清掃するための使い捨てシート体７０を積層した清掃用積層シート６０及びその清掃用積層シート６０を装着する清掃具１である。
【００５１】
清掃用積層シート６０は、清掃具１に装着して床面を清掃する、極細繊維８２を組み合わせて形成した使い捨てシート体７０が複数枚積層されて形成される構成となっている。換言すると、清掃具１のヘッド１０に装填、着脱可能な所謂カートリッジ式となっている。また、清掃具１は、床面の掃除を行うための清掃用積層シート６０が装着されるヘッド１０、このヘッド１０を操作するための柄５０を主な構成とする。まず、清掃用積層シート６０を構成するところのシート体７０、そして、清掃用積層シート６０について説明する。
【００５２】
清掃用積層シート６０を構成するシート体７０は、ワイピングシート、ワイピングクロス等と呼ばれるものであり、清掃具１のヘッド１０に対して取替え自在に装着される、塵、埃等の汚れを吸着するもので、塵、埃等の捕集に適していればどのようなものであってもよい。素材としては、パルプ繊維、ポリエステル、ポリプロピレン、セルロース、流動パラフィン、レーヨン等の極細繊維８２が挙げられる。そして、例えば、パルプ繊維とポリプロピレンを組み合わせたもの、セルロースとポリエステルを組み合わせたもの、レーヨンとポリエステルを組み合わせたもの等が考えられる。
【００５３】
シート体７０の大きさについては、清掃用積層シート６０やシート体７０によってヘッド１０を把持するものであるため、ヘッド１０よりも面積的に大きくなる（図１０参照）。すなわち、ヘッド１０の裏面３４長手方向Ｌ又は表面３３長手方向Ｗの長さよりもシート体７０の長手方向Ｌのほうが長い。また、ヘッド１０の裏面３４短手方向Ｓ又は表面３３短手方向Ｓの長さよりもシート体７０の短手方向Ｓのほうが長い。図１０では、シート体７０のヘッド１０の設置面（清掃面）を点線で図示した。
【００５４】
シート体７０の短手方向Ｓ両端側には、清掃用積層シート６０に積層される際、立上部７６が形成される（図２、図５、図３７等参照）。すなわち、ヘッド１０の裏面３４短手方向Ｓ又は表面３３短手方向Ｓの長さよりもシート体７０の短手方向Ｓのほうが長いので、この長い分でシート体７０の短手方向Ｓ両端側には立上部７６が形成されることとなる。そして、この立上部７６は床面を清掃するものではないが、この立上部７６においても壁や幅木等を清掃することができる。
【００５５】
このように、シート体７０は、清掃面と、清掃面の短手方向Ｓに連なる立上部７６とに分けることができる。なお、清掃面は、片面のみ使用するシート体７０にあっては第一面７１と、両面使用するシート体７０にあっては第一面７１及び第二面７２とする。
【００５６】
また、その他、図８等で図示するように、清掃面の長手方向Ｌに連なる余剰部７７を設けてもよい。すなわち、ヘッド１０の裏面３４長手方向Ｌ又は表面３３長手方向Ｌの長さよりもシート体７０の長手方向Ｌのほうを長くすることによって、この長い分でシート体７０の長手方向Ｌ両端側に余剰部７７が形成されることとなる。
【００５７】
余剰部７７は、ヘッド１０に直接装着される部分ではなく、ヘッド１０から出た、文字通り「余」りの部分であり、シート体７０自体の材質による自由度が高く柔軟性に富む箇所である。したがって、隙間や段差の部分の清掃にも対応することができ、便利である。したがって、余剰部７７には後述する基部シート６１は載置されない。
【００５８】
また、図３６で図示したように、積層した各シート体７０の長手方向の長さが相違することによって余剰部７７の長さが相違する構成も考えられる。すなわち、シート体７０が積層されるが、これらシート体７０は積層されるにしたがって、長手方向Ｌの長さが短くなり、余剰部７７の長さも短くなる。
【００５９】
また、シート体７０は、一層構造の他、二層構造や三層構造等が考えられる。シート体７０は、その材質のままでもよいが、シート体７０自体を加工することによってより多くに塵や埃を捉えることができる。例えば、シート体７０に切り込みを入れて切込部８０とすることにより、この切込部８０でより多くの埃や塵を掴むことができる（図１１、図１２参照）。
【００６０】
後述するところの、清掃面としてシート体７０の片面のみ使用する実施例１のタイプでは、清掃面（第一面７１）に切り込みを入れることができ、また、清掃面としてシート体７０の両面を使用する実施例２から実施例３のタイプでは、両清掃面（第一面７１及び第二面７２）に切込部８０を入れることができる。
【００６１】
図１１のような二層構造の場合、清掃面を第一面７１と第二面７２に分けることができるが、第一面７１に入れた切込部８０と、第二面７２に入れた切込部８０の位置は相違位置としてもよいし、同位置としてもよい。
【００６２】
図１２のような三層構造の場合、基層７８を介して清掃面を第一面７１と第二面７２に分けることができるが、第一面７１に入れた切り込みと、その反対側の第二面７２に入れた切込部８０の位置は同位置としてもよいし、相違位置としてもよい。
【００６３】
また、切込部８０を入れる構成ではなく、シート体７０の清掃面を長手方向Ｌ、及び／又は、短手方向Ｓに折曲げた折曲部８１を形成する構成であってもよい（図１３参照）。具体的には、シート体７０、及び／又は、基部シート６１を折曲げて折曲部８１を形成することができる。二層構造や三層構造の場合は勿論のこと、一層構造の場合であっても折曲部８１を入れることができる。
【００６４】
折曲部８１を入れる構成のシート体７０も実施例１から実施例３においても使用することができる。このような折曲部８１を入れる構成の場合は、シート体７０の長手方向Ｌに筋が入ることにより、進行方向に向かって清掃すると長手方向Ｌの筋である折曲部８１により多くの塵や埃を捉えることができる。
【００６５】
また、シート体７０の極細繊維８２と比べて太い太繊維８３をランダムに混入することもできる（図１４参照）。具体的には、シート体７０、及び／又は、基部シート６１には、極細繊維８２よりも太い太繊維８３を混入してもよい。さらには、太繊維８３を碁盤の目状に混入配置させたり（図１５参照）、放射線状に混入配置したりすることができる（不図示）。
【００６６】
シート体７０の色に関しては、シート体７０全体が白色の他、黒色、赤色、青色、黄色、桃色、緑色、紫色、オレンジ色等から選択することができる。また、基本的には白色とし、一部を他の色としてもよい。また、他の色とした一部に関しては、どのような形状としてもよい。例えば、円形、三角形、四角形や、これらを組み合わせた形状等であってもよい。また、立上部のみ着色する等でもよい。なお、本発明の効果を奏することができれば、これら以外の色であってもよい。
【００６７】
また、太繊維８３の色を極細繊維の色と異なる色とすることもできる。例えば、シート体７０全体を白色とし、太繊維８３を黒色等の着色とする構成の他、シート体全体を黒色等の着色とし、太繊維８３を白色とする構成等も考えられる。
【００６８】
次に、清掃用積層シート６０について説明する。具体的には、以下のような構成が挙げられる。
【００６９】
図１のように、シート体７０を、長手方向Ｌに沿って入れたミシン目７３（切り込み）を介して複数枚を接合して円筒状シートとする。そして、図２のように、この円筒状シートを平面的に折り畳み、さらに、両短手方向Ｓ、Ｓを立ち上げて両立上部７６、７６とすることによって山折環状シート６６とする。このような山折環状シート６６を積層したものや、さらに、両立上部７６、７６の端部７６a、７６aを糊綴じしたものを清掃用積層シート６０とする。なお、図３では、基部シート６１を載せた状態を図示している。
【００７０】
また、他の例としては、次のようなものが挙げられる。図４のように、シート体７０を、短手方向Ｓに沿って入れたミシン目７３（切り込み）を介して接合する複数枚のシート体７０からなる長尺シートとする。そして、図５のように、この長尺シートを、１枚分のシート体７０のそれぞれが両短手方向Ｓ、Ｓを山折りして立上部となるように波状に積層したものや、さらに、両立上部７６、７６の端部７６a、７６aを糊綴じしたもの（山折長尺シート６７）を清掃用積層シート６０とする。なお、図６では、基部シート６１を載せた状態を図示している。
【００７１】
さらには、図３７で図示したように、ミシン目７３（切り込み）を入れない１枚物の長方形状のシート体７０の両短手方向Ｓ、Ｓを立ち上げて両立上部７６、７６とすることによって山折シート６８とし、このような山折シート６８を積層したものや、さらに、両立上部７６、７６の端部７６a、７６aを糊綴じしたものを清掃用積層シート６０としてもよい。
【００７２】
両立上部７６、７６の端部７６a、７６aを糊綴じした場合は、各シート体７０が一体化されることとなる。
【００７３】
山折環状シート６６や山折長尺シート６７に関しては、シート体７０に入れられたミシン目７３からシート体７０の切り取ることによってシート体７０の取り替えを行うが、ミシン目を入れない山折シート６８の取り替え方（めくり方）に関しては、山折シート６８にはミシン目が入れられていないため、糊付けした部分の長手方向Ｌから徐々に剥がして行くこととなる。
【００７４】
なお、シート体７０は、何枚積層してもよい。シート体７０の材質により５０枚程度まで積層してもよい。すなわち、床面を清掃することができれば何枚でもよい。シート体７０を複数枚積層するため、最初に使用するシート体７０と最後に使用するシート体７０ではサイズやミシン目７３の位置について相違することが考えられる。したがって、シート体７０自体のサイズや、ミシン目７３の位置等に関しては、適宜変更することもできる。
【００７５】
なお、シート体７０を上記山折環状シート６６にする方法、山折長尺シート６７にする方法、山折りシートする方法に関しては、公知の技術を用いて行うことができる。
【００７６】
上述のように、シート体７０は複数枚積層、すなわち、シート体７０の上に別のシート体７０が載置され、その上にまた別のシート体７０が載置されるということを繰り返すことによって形成されるが、その最後には基部シート６１が載置されることにより、上記シート体７０の形状を固持することができる。以下、この基部シート６１について説明する。
【００７７】
基部シート６１は、長方形状の基面６２と、この基面６２の短手方向Ｓ両端から内側に立ち上がり傾斜する両傾斜面６３、６３からなる。また、両傾斜面６３、６３の端部から連なる両接着面６４、６４（図７参照）を備えた構成の他、両接着面６４、６４の端部から連なる鉤面６５（図３、図６、図９参照）、又は、両接着面６４、６４の端部から連なる舌部６９（図２８等参照）を備えた構成であってもよい。したがって、後述のように、清掃用積層シート６０の形状を固持することができれば、接着面６４や鉤面６５、舌部６９がない構成、すなわち、基面６２と傾斜面６３のみの構成であってもよい（図３８参照）。
【００７８】
清掃用積層シート６０の形状の固持に関しては、清掃用積層シート６０の上に基部シート６１を載置し、両立上部７６、７６の端部７６a、７６aを糊綴じしたような場合は、両接着面６４、６４に基部シート６１側のシート体７０の両立上部７６、７６の一部を接着することによって山折環状シート６６や山折長尺シート６７、山折シート６８の形状をより強固に固持することができる。また、接着面６４に立上部７６の端部７６ａを接着することもできる。
【００７９】
以上のように、清掃用積層シート６０の上に基部シート６１を載置し、清掃用積層シート６０の形状を保持したまま基部シート６１と一体とすることができる。
【００８０】
基部シート６１は、複数枚のシート体７０のそれぞれを柔軟性のある接着剤を介して積層したものであることが望ましい。具体的には、シート体７０とシート体７０が柔軟性のある接着剤を介して接着され積層されることとなる。このように、柔軟性のある接着剤を介することによって、基部シート６１自体がある程度の固さとなり、かつ柔軟性に富むものとなる。なお、柔軟性のある接着剤としては、糊や木工用ボンド等が考えられるが、他の公知の柔軟性のある接着剤を用いても良い。このように、複数枚のシート体７０により基部シート６１構成することができれば、基部シート６１自体も清掃に使用することができ、また、既存の材料でなるシート体７０であればコストダウンを図ることができる。その他、基部シート６１を樹脂、板紙、厚紙、段ボール等としてもよい。この場合も同様に基部シート６１自体がある程度の固さとなり、かつ柔軟性に富むものとなる。
【００８１】
また、基部シート６１は、シート体７０と同様に白色、黒色、赤色、青色、黄色、桃色、緑色、紫色、オレンジ色等から選択することができる。なお、本発明の効果を奏することができれば、これら以外の色であってもよい。
【００８２】
次に、清掃用積層シート６０を装着する清掃具１について説明する。
【００８３】
清掃具１のヘッド１０の面については、清掃用積層シート６０を装着し、清掃する床面と対峙する側を裏面３４とし、その対面を表面３３とする。また、操作する際の進行方向側を正面３１とし、その対面を背面３２とする。そして、正面３１から見て、右側の側面を右側面３６とし、左側の側面を左側面３５とする。
【００８４】
ヘッド１０のサイズ、特に各面の長さに関しては任意の長さを採用することができる。例えば、短手方向Ｓ（裏面３４及び／又は表面３３）の長さとしては、例えば、７０ｍｍ〜１００ｍｍ程度、長手方向Ｌ（裏面３４及び／又は表面３３）の長さとしては、例えば、２３０ｍｍ〜２５０ｍｍ程度が望ましいが、この長さに限定されない。また、表裏方向の長さとしては、例えば、１００ｍｍ〜３００ｍｍ程度が望ましいが、この長さに限定されない。
【００８５】
また、広範囲面を清掃するため、長手方向Ｌ（裏面３４及び／又は表面３３）の長さ
を、例えば、４５０ｍｍ〜６００ｍｍ程度としてもよい。
【００８６】
ヘッド１０の材質としては、例えば、硬質、半硬質の合成樹脂（ABS樹脂等）等が挙げられるが、これに限定されない。柄５０の材質としては、例えば、樹脂パイプ、金属製の丸棒等が挙げられるが、これらに限定されない。なお、金属製の丸棒に樹脂製等のカバーを被覆してもよい。以下、本発明の各実施例に基づいて説明する。
【００８７】
実施例１の清掃具１の筐体であるヘッド１０の形状としては、基本的には略直方体形状をベースに正面３１及び背面３２に傾斜部を有しており、側面（右側面３６、左側面３５）視すると台形状となる（図１６、図１７等参照）。すなわち、裏面３４と表面３３が互いに平行で、裏面３４の短手方向Ｓの長さと表面３３の短手方向Ｓの長さは相違しており、裏面３４の短手方向Ｓの長さよりも表面３３の短手方向Ｓの長さのほうが短い。本実施例では、正面３１の傾斜部を正面傾斜部１１、背面３２の傾斜部を背面傾斜部２１とする。
【００８８】
裏面３４に対する正面傾斜部１１及び背面傾斜部２１の角度は、任意に選択することができるが、主に正面傾斜部１１の角度と背面傾斜部２１の角度は同じとする。具体的には、裏面３４に対する正面傾斜部１１の角度及び裏面３４に対する背面傾斜部２１の角度を４５度とする等が考えられる。
【００８９】
なお、正面傾斜部１１の角度と背面傾斜部２１の角度が相違してもよい。正面傾斜部１１の角度が背面傾斜部２１の角度より大きくてもよく、逆に、背面傾斜部２１の角度が正面傾斜部１１の角度より大きくてもよい。裏面３４に対する正面傾斜部１１の角度を４５度とし、裏面３４に対する背面傾斜部２１の角度を３０度、又は、９０度とする等が考えられる。
【００９０】
例えば、裏面３４に対する背面傾斜部２１の角度を、清掃面である床面と、壁面の下方に添設されている幅木との間を清掃するのに適した９０度とする等が考えられる。要は、清掃用積層シート６０がそのような角度に対応しており、装着可能であれば正面傾斜部１１や背面傾斜部２１の角度は問わない。
【００９１】
その他、裏面３４と表面３３が互いに平行ではなく、表面３３が傾斜する構成であってもよい。例えば、表面３３が正面３１側に向かって傾斜してもよく、逆に表面３３が背面３２側に向かって傾斜してもよい。
【００９２】
清掃用積層シート６０がヘッド１０に装着されるが、傾斜面である正面傾斜部１１及び背面傾斜部２１に清掃用積層シート６０が係止されること、すなわち、ヘッド１０の傾斜部である正面傾斜部１１及び背面傾斜部２１に清掃用積層シート６０の両立上部７６、７６で引っ掛けるような形によって、清掃具１のヘッド１０に清掃用積層シート６０がセットされる。
【００９３】
裏面３４と正面傾斜部１１の角部により正面先端部１１ａが形成されるが、この正面先端部１１ａにもシート体７０が被覆される。したがって、この正面先端部１１ａにより、例えば、床と壁の隅にある塵、埃等を清掃し易くなる。また、ヘッド１０の向きを変えても清掃することができる。すなわち、ヘッド１０を水平方向に９０度回転させることによって背面３２を進行方向にして清掃することもできるため、裏面３４と背面傾斜部２１の角部による背面先端部２１ａにより、例えば、床と壁の隅にある塵、埃等を清掃し易くなる。その他、床と壁の隅に限らず、窓枠のレール部の掃除にも適している。
【００９４】
なお、実施例１では、後述する実施例２、実施例３のようにシート体７０の両面を使用するものではないため、シート体７０を保持する保持部１５を備えておらず、シート体７０をヘッド１０の一部に保持するような構成ではない。
【００９５】
ヘッド１０と柄５０に自在継手２６を設け、この自在継手２６を介してヘッド１０と柄５０が連結されている。換言すると、清掃具１で床面を清掃する清掃者が把持するための棒状の柄５０が自在継手２６を介してヘッド１０と揺動自在に連結されている。
【００９６】
自在継手２６は、本実施例では主に突出部２７と挟持部２８で構成されるが、ヘッド１０と柄５０が連結できればどのような構造のものであってもよい。例えば、次の様な構造が考えられる。柄５０の基端部には、ヘッド１０と連結するため、柄５０の直角方向両側に突出する両突出部２７、２７を備える。一方、ヘッド１０の表面３３にはこの両突出部２７、２７を挿入して挟持する両挟持部２８、２８を備える。そして、柄５０の両突出部２７、２７とヘッドの両挟持部２８、２８によって柄５０とヘッド１０が連結される。具体的には、両挟持部２８、２８は空洞部（不図示）を備えており、この両空洞部に両突出部２７、２７を挿入することによって挟持される。空洞部と突出部２７との間には遊びを設けているため、これらを支点として柄５０を正面３１側や背面３２側へ回動させることができる。
【００９７】
別部材であるところの、突出部２７を備えた連結部材を介してヘッド１０と柄５０を連結する構成であってもよい。具体的には、連結部材によってヘッド１０と柄５０とを軸支し、連結部材を支点として正面３１側や背面３２側へ回動させることができる。連結部材としては、柄５０の基端部に装着するキャップにこのような突出部２７を備える構成であってもよい（図１６等参照）。
【００９８】
実施例１におけるその他の連結部材の構成としては、次のようなものも挙げられる。連結部材には、本体５５の両側に突出部２７を備え、本体５５の上側に連結片５６を備える。この連結片５６には貫通孔を穿設する。また、柄５０の基端部には、切り欠きを設けることによって、その両側に挟持片５１、５１を備える。これら挟持片５１、５１には貫通孔を穿設する。そして、両挟持片５１、５１の間の切り欠きに連結部材５５の連結片５６を嵌合し、両挟持片５１、５１の貫通孔、連結片５６の貫通孔に軸５７を回動自在に挿入する。これにより、軸５７を支点として柄５０を右側面３６側や左側面３５側へ回動させることができる（図３９、図４０参照）。
【００９９】
また、図示しないが、次のような構成も考えられる。柄５０の直径より大きく、基端部から膨出する球状部を備える。一方、ヘッド１０の表面３３には球状部を包むようにして回転自在に支持する支持部を備える。そして、柄５０の膨出部とヘッド１０の支持部によって柄５０とヘッド１０が連結される。このような構成とすることによって、様々な方向へ柄を回動させることができる。なお、柄５０の基端部に装着するキャップにこのような球状部を備える構成であってもよい。
【０１００】
ヘッド１０の裏面３４に清掃用積層シート６０が装着されるものであるため、ヘッド１０の裏面３４に清掃用積層シート６０を滑り難くするための滑止部（不図示）を備える構成であってもよい。この滑止部は、清掃用積層シート６０を滑り難くすることができればどのような形状、大きさ、数、配置であってもよい。例えば、半球状とし、複数個を裏面３４に均等に配置してもよい。また、滑止部をヘッド１０と同じ部材としてもよい。また、滑止部をヘッド１０と別部材、例えば、ゴム等の弾性体としてもよい。
【０１０１】
実施例１での使用例について説明する。まず、使用に際し、ヘッド１０に清掃用積層シート６０が装着される（図１８参照）。すなわち、ヘッド１０の裏面３４にはシート体７０が複数枚積層された清掃用積層シート６０が装着され、この清掃用積層シート６０を構成する各シート体７０で床面等を清掃する。すなわち、この状態により、ヘッド１０に装着された清掃用積層シート６０の一番外側（床面側）のシート体７０で床面等を清掃する。
【０１０２】
実施例１では、シート体７０の片面のみを使用するものであるため、片面で清掃した後は、そのシート体７０を廃棄することとなる。次に、床面清掃後、シート体７０の廃棄について説明する。
【０１０３】
まず、清掃用積層シート６０のミシン目７３（切り込み）を利用して汚れたシート体７０を切り取る（図１９参照）。具体的には、清掃用積層シート６０の長手方向Ｌに沿って入れられた切り込みから汚れたシート体７０を切り取る。次に、さらに反対側の長手方向Ｌに沿って入れられたミシン目（切り込み）からも切り取ることによって、汚れたシート体７０を清掃用積層シート６０から分離し（図２０参照）、そして、廃棄することとなる。
【０１０４】
なお、最初にシート体７０を切り込みから切り取った後は、図２０で図示したように汚れた面を内側に巻き込むようにして切り取った側のシート体７０を反対側に移動させる。このように汚れた面を内側に巻き込むようにしてシート体７０の分離作業を行うと、シート体７０に付着した塵や埃等が落ちない。
【０１０５】
そして、汚れたシート体７０を切り取った後は図１８のような状態となり、再び清掃する際は、汚れたシート体７０の次のシート体７０で清掃することとなる。すなわち、シート体７０自体は、使用、切り取り、分離、廃棄を繰り返すこととなる。
【０１０６】
実施例２の清掃具１の筐体であるヘッド１０の形状としては、基本的には略直方体形状をベースに正面３１及び背面３２に切欠部１４を有している（図２１、図２２等参照）。
【０１０７】
この切欠部１４は、側面視（右側面３６視）すると、正面３１側が反くの字形状、背面側がくの字形状となる。具体的には、正面３１側は、正面下側傾斜部１３とこれに連なる正面上側傾斜部１２で反くの字形状を形成している。また、背面３２側は、背面下側傾斜部２３とこれに連なる背面上側傾斜部２２でくの字形状を形成している。換言すると、二つの実施例１のヘッド１０の表面同士を合わせたような形状であり表裏同型となる。
【０１０８】
裏面３４に対する正面下側傾斜部１３及び背面下側傾斜部２３の角度は、任意に選択することができる。主に、正面下側傾斜部１３の角度と背面下側傾斜部２３の角度を同じであるが、正面下側傾斜部１３の角度と背面下側傾斜部２３の角度が相違してもよい。正面下側傾斜部１３の角度が背面下側傾斜部２３の角度より大きくてもよく、逆に、背面下側傾斜部２３の角度が正面下側傾斜部１３の角度より大きくてもよい。要は、清掃用積層シート６０が装着可能であれば正面下側傾斜部１３や背面下側傾斜部２３の角度は問わない。
【０１０９】
同様に、表面３３に対する正面上側傾斜部１２及び背面上側傾斜部２２の角度は、任意に選択することができる。
【０１１０】
本実施例２は、側面視すると明かであるが、裏面３４と表面３３が互いに平行で、裏面３４の短手方向Ｓの長さと表面３３の短手方向Ｓの長さが略同じとしている。
【０１１１】
その他、裏面３４と表面３３が互いに平行ではなく、表面３３が傾斜する構成であってもよい。例えば、表面３３が正面３１側に向かって傾斜してもよく、逆に表面３３が背面３２側に向かって傾斜してもよい。
【０１１２】
清掃用積層シート６０がヘッド１０に装着されるが、正面下側傾斜部１３及び背面下側傾斜部２３に清掃用積層シート６０の立上部７６が係止されること、すなわち、ヘッド１０の正面下側傾斜部１３及び背面下側傾斜部２３を清掃用積層シート６０の立上部７６で引っ掛けるような形によって、清掃具１と清掃用積層シート６０が一体となる。
【０１１３】
本実施例２でも裏面３４と正面下側傾斜部１３の角部により下側正面先端部１３ａが形成され、また、表面３３と背面下側傾斜部２３の角部により下側背面先端部２３ａが形成されるが、効果等は実施例１と同様とする。また、表面３３と正面上側傾斜部１２の角部により上側正面先端部１２ａが形成され、また、表面３３と背面上側傾斜部２２の角部により上側背面先端部２２ａが形成されるが、こちらに関しても効果等は実施例１と同様とする。
【０１１４】
実施例２では、ヘッド１０を表裏反転させることができ、この構成によりシート体７０の両面を使用して清掃することができるものである。そのため、シート体７０の両面を使用するための保持部１５を備えている。具体的には、正面上側傾斜部１２及び背面上側傾斜部２２にシート体７０を保持する保持部１５を備えている（図２１参照）。この保持部１５は、正面上側傾斜部１２及び背面上側傾斜部２２のそれぞれ適所に二箇所、計四箇所程度備えるのが望ましいが、数は問わない。
【０１１５】
保持部１５の構成としては、正面上側傾斜部１２及び背面上側傾斜部２２に開口部１５ａを設け、この開口部１５ａの内側から保持片１５ｂを装着している。この保持片１５ｂは、開口部１５ａの内側から装着するため開口部１５ａよりも面積的に大きく、また、ゴム素材等の弾性力のある素材とする。そして、保持片１５ｂには放射線状に切り込みが入れられており、シート体７０を切り込みに押し入れることによって切り込みによりシート体７０の端を保持することができる。
【０１１６】
実施例２においては、支持部材４０を介して柄５０とヘッド１０が連結される構成を採用している。具体的には、柄５０の基端部には、支持部材４０の基端が接続され、支持部材４０の他端がヘッド１０の側面に接続されることによって柄５０とヘッド１０が連結される。
【０１１７】
この連結に関しては、主に、片側支持タイプ（不図示）、両側支持タイプの２タイプが考えられる。片側支持タイプの場合は、右側面３６、又は、左側面３５から支持される。また、両側支持タイプの場合は、右側面３６及び左側面３５から支持される。この支持部材４０を支点としてヘッド１０が表裏反転可能となる。ヘッド１０の右側面３６及び左側面３５には、支持部材４０の支持部４４を軸支する穴を穿設している。
【０１１８】
この支持部材４０は、ヘッド１０と柄５０を連結するための部材であり、支持部材４０の素材等はどのような素材であってもよいが、例えば、金属製等の棒状のものが望ましい。
【０１１９】
支持部材４０は、ヘッド１０を反転させることができればどのような構造であってもよい。両側支持タイプの場合、次のような構造が考えられる。例えば、柄５０の基端側と連結する本体部４１と、水平部４２、垂下部４３、ヘッド１０に連結する支持部４４に分けることができる。具体的には、鉛直方向に伸びる本体部４１から両水平方向に向かって両水平部４２、４２が形成され、両水平部４２、４２から垂下する両垂下部４３、４３が形成され、両垂下部４３、４３からさらに内側に向かって垂直にベンディングされることによって両支持部４４、４４が形成される。
【０１２０】
実施例２や、後述する実施例３においては、連結部材を介して柄５０と支持部材４０を連結することができる。具体的な構成としては、次のようなものも挙げられる。連結部材は、筒状の本体５５と、本体５５の上側に連結片５６を備える。この連結片５６には貫通孔を穿設する。また、柄５０の基端部には、切り欠きを設けることによって、その両側に挟持片５１、５１を備える。これら挟持片５１、５１には貫通孔を穿設する。そして、両挟持片５１、５１の間の切り欠きに連結部材の連結片５６を嵌合し、両挟持片５１、５１の貫通孔、連結片５６の貫通孔に軸５７を回動自在に挿入する。また、本体５５の下側から支持部材４０の本体部４１を挿入し固定する。これにより、軸５７を支点として柄５０を右側面３６側や左側面３５側へ回動させることができる（図４１、図４２参照）。
【０１２１】
ヘッド１０の裏面３４に清掃用積層シート６０が装着され、ヘッド１０の表面３３にはシート体７０が装着されるものであるため、実施例１と同様に、ヘッド１０の裏面３４、及び／又は、表面３３に清掃用積層シート６０等を滑り難くするための滑止部を備える構成であってもよいが、滑止部を備えない構成であってもよい。
【０１２２】
実施例２での使用例について説明する。使用に際し、ヘッド１０に清掃用積層シート６０が装着される点（図２３参照）、清掃用積層シート６０を構成する各シート体７０で床面等を清掃する点等は実施例１と同じである。また、実施例１では、シート体７０の片面のみ使用する例であるが、実施例２では、シート体７０の両面を使用する点で相違する。以下、実施例２の片面（第一面７１）使用後についての使用例について説明する。
【０１２３】
シート体７０の第一面７１で床面等を清掃した後は、清掃用積層シート６０のシート体７０のミシン目７３（切り込み）を利用してシート体７０を切り取る（図２４参照）。具体的には、シート体７０の長手方向Ｌに沿って入れられた一方の切り込みから汚れたシート体７０を切り取る。なお、シート体７０の切り込みは、シート体７０の両長手方向Ｌ、Ｌに沿って入れられているため、どちらの切り込みから切り取っても良い。
【０１２４】
切り取った反対側は、ミシン目７３（切り込み）が入れられているが清掃用積層シート６０と繋がっている状態である。以下、シート体７０の切り取った側を切取側７４とし、清掃用積層シート６０と繋がっている側を切込側７５とする。
【０１２５】
そして、支持部４４を支点としてヘッド１０を回転させる（図２５参照）。次に、シート体７０でヘッド１０の表面３３を被せるようにして、自由端となる切取側７４をヘッド１０の正面３１まで持ってくる。具体的には、正面３１側のシート体７０の切り込みを切り取った場合は、背面３２側のシート体７０（切込側７５）を支点として反対側まで切取側７４を回転させ、そして、切取側７４を正面上側傾斜部１２に備えた保持部１５に押し入れることによってシート体７０を保持する（図２６、図２７参照）。
【０１２６】
以上のような作業が完了すると、ヘッド１０の表面３３と清掃済のシート面である第一面７１が対峙した状態となり、この第一面７１の反対側の面には未使用である第二面７２のシート体７０が配置されることとなる。これにより、第一面７１の反対側の面である第二面７２でも再び床面等を清掃することができる。
【０１２７】
なお、上記作業は、ヘッド１０を反転させた後にシート体７０を切り取ってから切取側７４を正面上側傾斜部１２に備えた保持部１５に押し入れることによってシート体７０を保持してもよい。
【０１２８】
以上のように切取側７４のシート体７０を保持した後は、ヘッド１０の表面３３にある、この時点では未使用の第二面７２で床面を清掃することができるが、次に第二面７２でも床面を清掃した後のシート体７０の廃棄について説明する（不図示）。
【０１２９】
まず、正面上側傾斜部１２及び背面上側傾斜部２２に備えた保持部１５に押し入れたシート体７０の切取側７４を保持部１５から取り外す。
【０１３０】
そして、第二面７２を内側に巻き込むようにして切り取った側（切取側７４）を反対側（切込側７５）に移動させる。
【０１３１】
清掃用積層シート６０の切込側７５の切り込みを利用して汚れたシート体７０を切り取ることによって汚れたシート体７０を清掃用積層シート６０から分離し、廃棄する。
【０１３２】
そして、汚れたシート体７０を分離後、再び清掃する際は、ヘッド１０を反転させて汚れて分離したシート体７０の次のシート体７０の第一面７１で清掃することとなり、第一面７１で清掃した後は、第二面７２で清掃する等の上記作業を繰り返すこととなる。すなわち、シート体７０自体は、使用、切り取り、分離、廃棄を繰り返すこととなる。
【０１３３】
図２９、図３０等で図示した実施例３の清掃具１は、実施例２の清掃具１とほぼ同じであるため、相違する点についてのみ説明する。
【０１３４】
実施例２は、シート体７０の両面を使用するための保持部１５を備えているが、実施例３においてはこのような保持部１５を備えない構成である。実施例３もシート体７０の両面を使用するものであるため、シート体７０の保持方法について説明する。具体的には、清掃用積層シート６０の基部シート６１に関しては、接着面６４の端部から連なる舌部６９を備えた基部シート６１であることが望ましいため（図２８参照）、舌部６９を備えた基部シート６１を使用した例を説明する。
【０１３５】
図２８で図示した基部シート６１を載置した清掃用積層シート６０を実施例３の清掃具１に装着すると、図３１のように正面上側傾斜部１２に舌部６９の一部が当接する。この状態で床面を清掃する。
【０１３６】
図３２は実施例２の図２４と同様の状態であり、図３３は実施例２の図２５と同様の状態であるため、説明を割愛する。
【０１３７】
図３４は、実施例２の図２６とほぼ同じ状態であるが、シート体７０の切取側７４の保持方法について相違する。実施例３では、切欠部１４と舌部６９との間でシート体７０の端を係止できるものである。具体的には、シート体７０の切取側７４を正面上側傾斜部１２と舌部６９の間に挟み込むようにして係止することができる。
【０１３８】
第二面７２でも床面を清掃することができる点や、シート体７０の廃棄に関しては、実施例２と同様である。
【０１３９】
実施例１から実施例３について説明したが、ヘッド１０の清掃用積層シート６０を装着する箇所を同一化すれば１つの清掃用積層シート６０を３種類のヘッド１０に装着することができる。すなわち、裏面３４短手方向Ｓ及び裏面３４長手方向Ｌのサイズや、第一実施例であれば正面傾斜部１１又は背面傾斜部２１、実施例２や実施例３であれば正面下側傾斜部１３又は背面下側傾斜部２３を同じ角度等とすることによって清掃用積層シート６０を実施例１から実施例３の全てのヘッド１０に装着することができることとなり便利である。
【０１４０】
また、従来例においては、フローリングワイパーの本体へのシート取り付け方法に関しては、取り付けの都度、使用するシート１枚を床に敷きその上に本体を置いて本体を巻き込むようにして行うが、この作業は屈んで行うため、例えば、使用者が高齢者や膝が悪い等のような場合は負担が掛かることとなる。本発明によれば、立ったままでも簡単にヘッド１０に清掃用積層シート６０やシート体７０を装着することができるため、体への負担が少なくなる。
【０１４１】
さらに、従来例の清掃用シートは、実際に床面等を清掃する清掃面としてはシート全体のおよそ４０〜５０％であり、シート半分以上を清掃として使わずに捨てている状況があったため、無駄が多かった。本発明によれば、床面を清掃しない部分が立上部７６のみとなり、無駄な部分が少なくなる。また、立上部７６においても床面以外の部分を清掃することができるため、無駄な部分が極めて少なくなる。
【０１４２】
以上、各実施例に基づき本発明を説明したが、本発明は上記実施例に限定されるものではなく、本発明の趣旨を逸脱しない範囲で、変更を加えてもよいし、各実施例に記載の技術、又は、その他の公知や周知の技術を組み合わせるようにしてもよい。
【０１４３】
ミシン目７３を利用してシート体７０を切り取る構成を説明したが、ミシン目７３以外でもシート体７０を切り取ることができれば、その発明の本発明の範疇に含まれる。図示しないが、例えば、鉤面６５の端長手方向Ｌに樹脂製の刃等を埋設した構成が考えられる。
【０１４４】
実施例１、実施例２、実施例３の清掃具１の筐体であるヘッド１０は、正面３１及び背面３２に傾斜部を有している構成について説明したが、側面である右側面３６、左側面３５においても傾斜部を有する構成であってもよい。
【０１４５】
ヘッド１０は、その全部又は一部を白色、黒色、赤色、青色、黄色、桃色、緑色、紫色、オレンジ色から選択することができる。よって、ヘッド１０の各面を色彩でデザインすることもできる。
【０１４６】
清掃用積層シート６０をヘッド１に装着する方法としては、例えば、清掃用積層シート６０を長手方向Ｌに撓ませて、どちらか一方の立上部７６を正面傾斜部１１又は正面下側傾斜部１３に引っ掛け、また、他方の立上部７６を背面傾斜部２１又は背面下側傾斜部２３に引っ掛けることによって装着する。
【０１４７】
ヘッド１０と柄５０を連結する部分の構成に関しては、自在継手２６、支持部材４０、連結部材等を説明したが、柄５０が正面３１側や背面３２側、右側面側３６や左側面側３５に回動させることができればどのような構成であってもよい。したがって、周知の構造を採用することができる。
【符号の説明】
【０１４８】
１：清掃具
１０：ヘッド
１１：正面傾斜部
１１ａ：正面先端部
１２：正面上側傾斜部
１２a：正面上側先端部
１３：正面下側傾斜部
１３a：正面下側先端部
１４：切欠部
１５：保持部
１５a：開口部
１５b：保持片
２１：背面傾斜部
２１ａ：背面先端部
２２：背面上側傾斜部
２２a：背面上側先端部
２３：背面下側傾斜部
２３a：背面下側先端部
２４：切欠部
２６：自在継手
２７：突出部
２８：挟持部
３１：正面
３２：背面
３３：表面
３４：裏面
３５：左側面
３６：右側面
４０：支持部材
４１：本体部
４２：水平部
４３：垂下部
４４：支持部
５０：柄
５５：本体
５６：連結片
５７：軸
６０：清掃用積層シート
６１：基部シート
６２：基面
６３：傾斜面
６４：接着面
６５：鉤面
６６：山折環状シート
６７：山折長尺シート
６８：山折シート
６９：舌部
７０：シート体
７１：第一面
７２：第二面
７３：ミシン目
７４：切取側
７５：切込側
７６：立上部
７６a：端部
７７：余剰部
７８：基層
８０：切込部
８１：折曲部
８２：極細繊維
８３：太繊維
【要約】
【課題】  従来は、フローリングワイパーと替えの拭取りシートは別体であるため、ある場所を清掃した後、他の場所を清掃する際に使用済みのシートを取り替える場合は、フローリングワイパーの他に、替えの拭取りシートを別で持ち運ぶ必要があった。
【構成】本発明は、清掃具と清掃用積層シートを一体化することができ、それにより替えのシート体を別で持ち運ぶ必要がない、清掃用積層シート及びその清掃用積層シートを装着する清掃具を提供するものである。
【選択図】図１８【図１】
0006718165.tif 000002
【図２】
0006718165.tif 000003
【図３】
0006718165.tif 000004
【図４】
0006718165.tif 000005
【図５】
0006718165.tif 000006
【図６】
0006718165.tif 000007
【図７】
0006718165.tif 000008
【図８】
0006718165.tif 000009
【図９】
0006718165.tif 000010
【図１０】
0006718165.tif 000011
【図１１】
0006718165.tif 000012
【図１２】
0006718165.tif 000013
【図１３】
0006718165.tif 000014
【図１４】
0006718165.tif 000015
【図１５】
0006718165.tif 000016
【図１６】
0006718165.tif 000017
【図１７】
0006718165.tif 000018
【図１８】
0006718165.tif 000019
【図１９】
0006718165.tif 000020
【図２０】
0006718165.tif 000021
【図２１】
0006718165.tif 000022
【図２２】
0006718165.tif 000023
【図２３】
0006718165.tif 000024
【図２４】
0006718165.tif 000025
【図２５】
0006718165.tif 000026
【図２６】
0006718165.tif 000027
【図２７】
0006718165.tif 000028
【図２８】
0006718165.tif 000029
【図２９】
0006718165.tif 000030
【図３０】
0006718165.tif 000031
【図３１】
0006718165.tif 000032
【図３２】
0006718165.tif 000033
【図３３】
0006718165.tif 000034
【図３４】
0006718165.tif 000035
【図３５】
0006718165.tif 000036
【図３６】
0006718165.tif 000037
【図３７】
0006718165.tif 000038
【図３８】
0006718165.tif 000039
【図３９】
0006718165.tif 000040
【図４０】
0006718165.tif 000041
【図４１】
0006718165.tif 000042
【図４２】
0006718165.tif 000043